(57)【要約】【課題】  カメラやメール機能付の開閉式携帯電話機の操作の煩雑さを軽減し、所望の機能の起動までの待ち時間を短縮する。【解決手段】  開閉構造の型携帯電話に開閉したことを検出するセンサ110〜113を設置して、特定のキー104を押下しながらスライドされたことを検出し、カメラ機能やメール機能等の所定の機能を起動することにより、簡便な操作を提供する。【選択図】  図１
2005136778.tif 000002
【特許請求の範囲】
【請求項１】
表示部を有する第一筺体と第一操作部を有する第二筺体により開閉可能に構成された携帯端末において、
前記第一筺体又は第二筺体の少なくとも一方の筺体には、第一筐体と第二筐体との相対位置にかかわらず露出する第二操作部が設けられ、
前記携帯端末の開動作を検出する検出手段と、
前記露出している第二操作部の操作を検出し、且つ前記検出手段が携帯端末の開動作を検出した場合に、予め前記第二操作部に定義したアプリケーションを実行させる制御手段と、
を備えたことを特徴とする携帯端末。
【請求項２】
前記携帯端末の閉状態において前記表示部が視認可能に露出する構成であって、
前記制御手段は、予め前記第二操作部に定義したアプリケーション名を前記表示部に表示することを特徴とする請求項１記載の携帯端末、
【請求項３】
表示部を有する第一筺体と第一操作部を有する第二筺体により開閉可能に構成され、且つ前記表示部が常に視認可能に露出する携帯端末において、
前記第一筺体又は第二筺体の少なくとも一方の筺体には露出する第二操作部が設けられ、
前記第一筺体と前記第二筺体の相対位置を検出する検出手段と、
前記露出している第二操作部の操作を検出した場合、前記表示部にアプリケーション名の一覧を表示し、該表示部にアプリケーション名の一覧を表示しているときに前記検出手段の相対位置に基づいて前記アプリケーションの１つを選択可能とし、前記第二操作部の押下が離れたのを検出すると前記選択されているアプリケーションを実行させる制御手段と、
を備えたことを特徴とする携帯端末。
【発明の詳細な説明】
【技術分野】
【０００１】
本発明は２つの筐体が開閉可能な構造を持つ携帯端末に関する。
【背景技術】
【０００２】
開閉型構造を符つ携帯電話機等の携帯端末は、例えば下記特許文献に示されている。
【特許文献１】特開2001-274880号公報
【０００３】
これらの携帯電話機では、運搬状態のときは２つの部分が覆い合って運搬しやすい形状となり、使用する際には開くことによって、キーパッド等が露出し操作が可能となる。
またこれらの携帯電話機ではキーパッド等が隠れているときも、小数のキーの操作が可能となっており限定した範囲での操作が可能なものもある。
【発明の開示】
【発明が解決しようとする課題】
【０００４】
開閉型構造を持つ携帯電話機では、通常の使用をする場合には、
（１）開いてキーパッドを露出させる、
（２）キーパッドを操作して、機能、例えば、通話、メール送受信、カメラによる画像撮影など、を起動する、の２つの手順が必要であり、操作が繁雑である。
特に、カメラによる撮影機能を持つ携帯電話機では、ユーザが撮影したいと考えた時点から撮影可能な状態にするまでの時間が長いと、シャッターチャンスを逃すこともある。
そもそも上記携帯電話機を開くのは、携帯電話機を何らかの目的で使用するためであり、開く操作と同時にユーザが使用したい機能を起動させれば、操作は１段階だけで済み、より簡便である。
【０００５】
また、従来の折り畳み型携帯電話機では、折り畳み状態を開くことにより特定の動作を行うものがある。
しかし、これらは表示装置の点灯、鳴動音量の変更など単純なものであり、さらに、ユーザが開く際に特定のアプリケーションの起動を指定することはできない。
【課題を解決するための手段】
【０００６】
本発明は、このような課題に鑑みてなされたもので、表示部を有する第一筺体と第一操作部を有する第二筺体により開閉可能に構成された携帯端末において、前記第一筺体又は第二筺体の少なくとも一方の筺体には、第一筐体と第二筐体との相対位置にかかわらず露出する第二操作部が設けられ、前記携帯端末の開動作を検出する検出手段と、前記露出している第二操作部の操作を検出し、且つ前記検出手段が携帯端末の開動作を検出した場合に、予め前記第二操作部に定義したアプリケーションを実行させる制御手段とを備えたことを特徴とする。
【０００７】
また本発明は、前記携帯端末の閉状態において前記表示部が視認可能に露出する構成であって、前記制御手段は、予め前記第二操作部に定義したアプリケーション名を前記表示部に表示することを特徴とする。
また本発明は、表示部を有する第一筺体と第一操作部を有する第二筺体により開閉可能に構成され、且つ前記表示部が常に視認可能に露出する携帯端末において、前記第一筺体又は第二筺体の少なくとも一方の筺体には露出する第二操作部が設けられ、前記第一筺体と前記第二筺体の相対位置を検出する検出手段と、前記露出している第二操作部の操作を検出した場合、前記表示部にアプリケーション名の一覧を表示し、該表示部にアプリケーション名の一覧を表示しているときに前記検出手段の相対位置に基づいて前記アプリケーションの１つを選択可能とし、前記第二操作部の押下が離れたのを検出すると前記選択されているアプリケーションを実行させる制御手段とを備えたことを特徴とする。
【発明の効果】
【０００８】
本発明によれば、開閉型構造を持つ携帯端末において、何れかの筐体を開く操作によって特定の機能が起動されることにより、簡便かつスムーズな操作が可能となる。したがって、開いた後に起動させようとする機能を、続くキーパッド等の操作なしに起動させることができ、ユーザが起動したいと考えた時点から機能が使用可能になるまでの時間を短縮することができる。
【発明を実施するための最良の形態】
【０００９】
以下、図面を参照して本発明の実施の形態を説明する。
図１は本発明の一実施形態の開閉可能な携帯端末としてのスライド式の携帯電話機の正面外観である。
電話機は、互いにスライドし重なり合う第一筺体100および第二筺体101で構成される。第一筺体100には、受話器102と、表示装置103と、第一筺体100および第二筺体101が完全に重なり合った場合でも使用できる、すなわち、第一筐体100と第二筐体101との相対位置にかかわらず露出するキー104とが設けられる。
【００１０】
第二筺体101上には、電話機としての操作を行うためのキー105およびキーパッド106と、送話音声を入力するための送話器107と、第一筺体100と第二筺体101の位置関係を検出するための光センサ110,111,112,113と、側面に通話中等にも使用できるキー108およびキー109とがある。
【００１１】
図２は前記携帯電話機の背面外観である。
背面には、映像を撮影することができるカメラ部114が第一筺体100に設置されている。
第一筺体100と第二筺体101は通話する場合や、キーパッド106を使用する操作を行う場合、カメラによる画像の撮影をする場合は、図１のように伸長状態（開状態）の形態をとり、運搬時および表示の確認のみ等の場合には図３に示すような収縮状態（閉状態）の形態をとる。
ユーザは通常収縮状態で電話機を携帯し、通常発信する際には、伸長状態にした後、キーパッドから発信先電話番号を入力して通話を行う。
【００１２】
待ち受け中に伸長状態にしたときは、表示装置が省電力のために消灯していた場合は点灯し、キーパッドに内蔵されたキーパッド照明も点灯する。
着信呼び出しを受けた場合には、伸長状態の場合キーパッドの発信キー入力で応答する。また、収縮状態のときは、伸長することにより自動的に応答状態に遷移する。この遷移は、ユーザの事前の選択により、「何もしない」、「サイレントモードに遷移する」等に切替え可能にしてもよい。
【００１３】
収縮状態から伸長状態への動きは、第一筐体100と第二筐体101の前述の相対動作の方向に沿って並べて配置された光センサ110、光センサ111、光センサ112および光センサ113で検出される。前記光センサ110〜113は、外部からの光を検出すると出力電圧がある閾値よりも大きい値となるＨレベルの状態となり、表面を遮蔽され光が検出されないと出力電圧がある閾値よりも小さい値となるＬレベルの状態となる。
【００１４】
次いで、上記携帯電話機の制御系の構成を図７を参照して説明する。
この携帯電話機の制御系は、基地局との無線通信に使用されるアンテナ10、このアンテナから受信した信号に無線処理を行う無線処理部11、無線通信プロトコル処理及び、携帯電話機内部の各種処理を行う制御手段として機能するＣＰＵ12、ＲＡＭ13、ＲＯＭ14、前記キー105およびキーパッド106として機能する第一操作部15、前記キー104として機能する第二操作部16、前記表示装置103およびその駆動回路として機能する表示部17、及び、前記光センサ110〜113等による携帯電話機の開動作を検出する検出手段18から構成されている。
【００１５】
上記制御系により、この携帯電話機は、開閉操作に伴って以下のように動作する。
図３に示すような収縮状態では、全ての光センサ110〜113は、第一筺体100により遮蔽され、光センサ110〜113の出力電圧がＬレベルとなる。スライドを開始して収縮状態から伸長状態へ遷移する途中（例えば図５のような状態）では、光センサ113には光が受光され、出力電圧がＨレベルとなり、一方光センサ110,111,112はまだ遮蔽されたままで出力電圧はＬレベルのままである。さらにスライドが進んで図６に示すような伸長状態に近い遷移状態となった場合には、光センサ111,112,113は第一筺体100により遮蔽されず、出力がＨレベルとなる。
以上のように、各光センサの出力電圧レベルにより、図４に示す表に従った判断により、第一筺体100と第二筺体101のスライド位置関係が検出される。
【００１６】
キー108およびキー109は通話中は受話音量を制御するボタンとして動作し、収縮状態での待ち受け中は、省電力のために消灯している表示部を点灯するためのキーとして働く。
また、キー108を押しながら、収縮状態から伸長状態になったことを検出すると、カメラによる撮影モードに自動的に移行する。
端末は、キー108が押下されたままで、収縮状態から遷移状態になったことを検出すると、カメラのアプリケーション起動を開始し、操作開始から撮影可能状態となるまでの時間を短縮する．
【００１７】
ただし、遷移状態から伸長状態にならず、再び収縮状態に戻った場合は、起動を中止し、起動前の状態に戻る。
撮影モードでは、カメラから入力された画像が表示装置にリアルタイム表示され、キー105がシャッターとして働き、押下されると画像が内部メモリに取り込まれる。
【００１８】
また、キー109を押しながら収縮状態から伸長状態になったことを検出すると、電子メールアプリケーションが起動し、電子メール作成機能に遷移する。
電子メール作成機能では、あて先、表題、本文等を入力した後、送信を指示するキーを押下することにより電子メールが送信される。
また、表示手段103は、露出しているキーの押下を検出し、スライド操作に伴っていずれのアプリケーションが起動されるかのアプリケーション名の一覧を示し、例えば、図５ではＷＥＢアプリケーションが起動対象であることを示し、図６では、カメラアプリケーションが起動対象であることを示している。そして、押下しているキーが離れたのを検出すると表示手段103において選択されているアプリケーションが起動される。
尚、キーを押す以外にもスライドスイッチによりスイッチ機構をＯＮ状態にする等の第二操作部の操作も含まれる。
また、本発明の携帯端末は携帯電話機や携帯情報端末（PDA）などを含むものである。
【００１９】
本実施形態によれば、収縮状態で押下可能な特定のキーを押下した状態で収縮状態から伸長状態にするだけで特定の機能が起動し、より簡便な操作が可能となる。
以上、本発明の実施形態について図面を参照して詳述してきたが、具体的な構成はこの実施形態に限られるものではなく、本発明の要旨を逸脱しない範囲の設計変更等も含まれる。
【図面の簡単な説明】
【００２０】
【図１】本発明の一実施形態である携帯電話機の正面斜視図
【図２】本発明の一実施形態である携帯電話機の背面斜視図
【図３】本発明の一実施形態である携帯電話機の収縮状態の正面斜視図
【図４】本発明の一実施形態である携帯電話機の光センサの出力と状態の判定表
【図５】本発明の―実施形態である携帯電話機がスライドを開始して遷移状態になった場合の正面斜視図
【図６】本発明の―実施形態である携帯電話機が図５の状態よりさらにスライドした遷移状態になった場合の正面斜視図
【図７】本発明の一実施形態である携帯電話機の制御系の構成のブロック図
【符号の説明】
【００２１】
12…ＣＰＵ、15…第一操作部、16…第二操作部、17…表示部、18…検出手段、100・・・第一筺体、101・・・第二筺体、102・・・受領器、103・・・表示装置、104 105・・・キー、106・・・キーパッド、107・・・送話器、108,109‥・側面キー、110, 111, 112, 113・・・光センサ、114・・・カメラ
【図１】
2005136778.tif 000003
【図２】
2005136778.tif 000004
【図３】
2005136778.tif 000005
【図４】
2005136778.tif 000006
【図５】
2005136778.tif 000007
【図６】
2005136778.tif 000008
【図７】
2005136778.tif 000009